(57)【要約】      （修正有）【課題】軽量化を図ると共に上下に変位させるときに支柱部材の軸線に集約することが可能であり、展開時も重心を取ることが可能な引きロープ取付用器具を提供する。【解決手段】引きロープ取付用器具１が有するアーム部材１０とアーム部材２０とは、台座２に回転可能に取り付けられていると共に、台座２の側方に位置した状態でアーム部材２０に渡らせた糸状部材４０を引っ張ることで、アーム部材１０、２０を先端が相互に近接するように変形することができ、先端が相互に近接したときに糸状部材４０の先端に設けらた接着部材６がアーム部材１０の先端に固定された接着部材５と接着して、伐採対象の樹木に糸状部材４０をＵ字状に引き掛けた後、引きロープ取付用器具１を下し、手元に来た糸状部材４０の端に引きロープを取り付けて、今度は引きロープを引き上げる。【選択図】図９
2019050742.tif 000002
【特許請求の範囲】
【請求項１】
操作棒と連接する台座と、前記台座に取り付けられた複数の棒状のアーム部材とを有し、
前記複数の棒状のアーム部材は、上方を向いた位置から前記台座の側方を向いた位置に放射状に展開した後、上方を向いた位置に戻ることができるように連結機構を介して前記台座に連結され、
前記複数の棒状のアーム部材のうちの一のアーム部材は、第１の糸状部材が当該一のアーム部材の長手方向の外側に沿って引き掛けられつつ途中まで渡り、途中からは前記一のアーム部材内を通って先端より引き出され、この引き出された部位の先端に第１の接着部材が着脱自在に配置されて、前記第１の糸状部材が引っ張られることで、前記一のアーム部材の先端に当接した前記第１の着脱用部材により押されて前記一のアーム部材の変形を生ずるようになっていると共に、
前記複数の棒状のアーム部材のうちの他のアーム部材は、先端に前記第１の着脱用部材との接着及び離脱が可能な第２の着脱用部材が固定され、第２の糸状部材が前記他のアーム部材の長手方向外側に沿って引き掛けつられつつ途中まで渡って、その先端が前記他のアーム部材に固定されて、前記第２の糸状部材が引っ張られることで、前記他のアーム部材の変形を生ずるようになっており、
前記一のアーム部材と前記他のアーム部材とが変形して先端が相互に近接することで、前記第１の接着部材が前記第２の接着部材に接着することを特徴とする引きロープ取付用器具。
【請求項２】
前記複数の棒状のアーム部材は、前記台座から上方に向けて立設した支持部材と支持用糸状部材を介して連結されており、
前記複数の棒状のアーム部材がそれぞれ前記台座の側方を向いた位置に展開したときに、前記支持部材が張った状態となって、前記複数の棒状のアーム部材の先端の前記台座よりも下方への変位を規制すると共に、
前記複数の棒状のアーム部材がそれぞれ上方に向いた位置にあるときに、前記第１の糸状部材に設けられた係合具により、前記複数の棒状のアーム部材と前記支持部材とが係合され、この係合が前記第１の糸状部材を引っ張ることで解除されることを特徴とする請求項１に記載の引きロープ取付用器具。
【請求項３】
前記複数の棒状のアーム部材は、台座側アーム構成部材と先端側アーム構成部材とを有し、
前記台座側アーム構成部材と先端側アーム構成部材とは、前記先端側アーム構成部材の先端が相互に近接する方向に曲がることができるように、連結機構を介して連結され、
更に、先端側アーム構成部材を前記曲がる方向とは反対方向に付勢する付勢機構が前記アーム構成部材間に架設されていることを特徴とする請求項１又は請求項２に記載の引きロープ取付用器具。
【請求項４】
前記第１の糸状部材と前記第２の糸状部材とは、前記台座に設けられた筒状部材の通孔を通って下方に引き出され、
前記第２の糸状部材は、前記筒状部材の通孔から引き出された後に、前記筒状部材の通孔よりも大きなストッパーに装着され、
前記第１の糸状部材は、前記ストッパーに設けられた通孔を通っていると共に、所定の位置に前記ストッパーの通孔よりも大きな押し部材が設けられて、
前記押し部材が前記ストッパーの通孔の周縁に当接した後は、前記第１の糸状部材の引っ張りにより前記第２の糸状部材も引っ張られることを特徴とする請求項１から請求項３のいずれかに記載の引きロープ取付用器具。
【発明の詳細な説明】
【技術分野】
【０００１】
本発明は、伐採対象の樹木を切り倒すにあたり、伐採対象の樹木に引きロープを取り付けて、樹木を引きロープで引っ張って樹木が倒れる方向の調整を補助するための器具に関する。
【背景技術】
【０００２】
送電線の維持や保守を図るために送電線の下方等、送電線に近接する位置にある樹木を伐採する場合があるが、樹木を切り倒す方向によっては作業員に不測の危害を与えるおそれがある。このため、例えば、特許文献１の図１２等に示されるように、伐採対象の樹木を切り倒すにあたり、伐採対象の樹木に引きロープを取り付けて、樹木を引きロープで引っ張って樹木が倒れる方向の調整を補助するようにしている。
【０００３】
そして、樹木の上方に引きロープを取り付けるための引きロープ取付用器具として、例えば特許文献１や特許文献２に示されるように、樹木の下方から遠隔操作が可能なように、持ち手部分から先端までの軸方向寸法の大きな操作棒を用いる引きロープ取付用器具が開発されている。
【０００４】
特許文献１に示される引きロープ取付用器具は、先端が相互に遠近可能な２つの湾曲状の可動アーム部材を有し、２つの可動アーム部材の先端が閉じたときに可動アーム部材の内周面で樹木の幹の全周を囲むことが可能である。これらの可動アーム部材には、引きロープが仮固定されており、可動アーム部材の先端が閉じたときに引きロープの先端同士が連結され、その後、所定の力を加えることで引きロープが円環状の状態で可動アーム部材から外れるようになっている。これにより、２つの可動アーム部材で樹木の幹を囲んだ後、所定の力を加える動作等をすることで、円環状になった引きロープが樹木の幹を囲んで取り付けられた状態となる。
【０００５】
また、特許文献２に示される引きロープ取付用器具は、円弧状の本体の両先端側に円弧状の可動アーム部材がそれぞれ取り付けられている。これらの可動アーム部材の先端が閉じたときに双方の可動アーム部材の内周面で樹木の幹の全周を囲むことが可能である。可動アーム部材に引きロープが仮固定され、可動アーム部材の各先端の連結具は、それぞれ引きロープが装着されている。可動アーム部材の先端が閉じて、連結具同士が連結された後は、連結具を可動アーム部材から外すことで、円環状の引きロープが形成されるようになっている。これにより、２つの可動アーム部材で樹木の幹を囲んだ後、連結具を可動アーム部材から外すことで、円環状になった引きロープが樹木の幹を囲んで取り付けられた状態となる。
【先行技術文献】
【特許文献】
【０００６】
【特許文献１】特開平９−２８２１４号公報
【特許文献２】特開２００９−３０号公報
【発明の概要】
【発明が解決しようとする課題】
【０００７】
もっとも、特許文献１や特許文献２に示されるようなアーム部材で樹木の全周を囲むタイプの引きロープ取付用器具は、構造が複雑であるため重量を有し、相対的に重い引きロープが最初に引きロープ取付用器具を樹木の上方に持ち上げるときから当該引きロープ取付用器具に装着されるので、操作棒の軸方向寸法が長いと、操作棒が曲がってしまうという不具合を有する。
【０００８】
また、特許文献１や特許文献２に示される引きロープ取付用器具は、樹木の上方に持ち上げるときに、重心が取れていないので、この点からも、操作棒の軸方向寸法が長いと、操作棒が曲がってしまうという不具合を有する。更に、特許文献１や特許文献２に示される引きロープ取付用器具は、樹木の上方から地上側等に下すときも、枝が引っ掛かるなどして、円滑に下すことが困難である。
【０００９】
これらの不具合のため、特許文献１や特許文献２に示される引きロープ取付用器具では、作業員は操作棒の先端に配置した引きロープ取付用器具を操作することが困難になるという不具合が生ずる。
【００１０】
そこで、本発明は、軽量化を図ると共に上下に変位させるときに集約することが可能であり、展開した状態でも重心が取れている引きロープ取付用器具を提供することを主たる課題としている。
【課題を解決するための手段】
【００１１】
上記課題を達成するために、本発明に係る引きロープ取付用器具は、操作棒と連接する台座と、前記台座に取り付けられた複数の棒状のアーム部材とを有し、  前記複数の棒状のアーム部材は、上方を向いた位置から前記台座の側方を向いた位置に放射状に展開した後、上方を向いた位置に戻ることができるように連結機構を介して前記台座に連結され、前記複数の棒状のアーム部材のうちの一のアーム部材は、第１の糸状部材が当該一のアーム部材の長手方向の外側に沿って引き掛けられつつ途中まで渡り、途中からは前記一のアーム部材内を通って先端より引き出され、この引き出された部位の先端に第１の接着部材が着脱自在に配置されて、前記第１の糸状部材が引っ張られることで、前記一のアーム部材の先端に当接した前記第１の着脱用部材により押されて前記一のアーム部材の変形を生ずるようになっていると共に、前記複数の棒状のアーム部材のうちの他のアーム部材は、先端に前記第１の着脱用部材との接着及び離脱が可能な第２の着脱用部材が固定され、第２の糸状部材が前記他のアーム部材の長手方向外側に沿って引き掛けつられつつ途中まで渡って、その先端が前記他のアーム部材に固定されて、前記第２の糸状部材が引っ張られることで、前記他のアーム部材の変形を生ずるようになっており、前記一のアーム部材と前記他のアーム部材とが変形して先端が相互に近接することで、前記第１の接着部材が前記第２の接着部材に接着することを特徴としている（請求項１）。台座は、操作棒と直接又は間接的に連接する。アーム部材は、操作棒又は下記の支持部材の軸線を基準として略左右対称に展開するように配置されている。アーム部材の数は、例えば２つ又は３つであるが、操作棒又は下記の支持部材の軸線を基準として略左右対称になることが可能であればそれ以上でもよい。第１の接着部材及び第２の接着部材は、例えば永久磁石である。第１の糸状部材及び第２の糸状部材は、引きロープよりも細くて軽量である。アーム部材を変形させるにあたり、用いられる連結機構の数は１つでも複数でもよく、全体が弧状にしなることができれば連結機構の数が０であっても良い。
【００１２】
これにより、この発明に係る引きロープ取付用器具は、作業員が持つ操作棒の先端に配置して、まずは複数の棒状のアーム部材を上方に向いた位置にして集約した状態にして、伐採対象の樹木の上方に持ち上げ、所定の高さにまで達したら、放射状に展開させ、更に、一のアーム部材及び他のアーム部材の先端を相互に近接させて、第１の接続部材を第２の接続部材に接着させる。次に、接着部材同士の接着状態を維持しながら、第１の糸状部材を引き出しつつ或いはある程度の長さにした後、引きロープ取付用器具を地上側に下す。これにより、第１の糸状部材は、伐採対象の樹木の周囲の一部を囲ったＵ字状に引き掛けた状態で、その両端が作業員のいる場所（例えば地上や作業車両）まで延伸し引き出される。そこで、第１の接続部材と第２の接続部材との接続を解除し、第１の糸状部材に引きロープを接続して、第１の糸状部材の引きロープが接続された側と反対側を引き下げて、引きロープを持ち上げてゆき、引きロープが伐採対象の樹木の周囲に略Ｕ字状に掛かった状態とすることができる。
【００１３】
しかも、アーム部材は、台座の側方に台座を中心として放射状に展開させるので、操作棒の軸線を基準として略左右対称となるように配置して重心を取ることが可能であり、引きロープを装着していないので、軸方向が長い操作棒の先端に装着しても、操作棒が曲がるのを防止することができる。
【００１４】
本発明に係る引きロープ取付用器具の前記複数の棒状のアーム部材は、前記台座から上方に向けて立設した支持部材と支持用糸状部材を介して連結されており、
前記複数の棒状のアーム部材がそれぞれ前記台座の側方を向いた位置に展開したときに、前記支持部材が張った状態となって、前記複数の棒状のアーム部材の先端の前記台座よりも下方への変位を規制すると共に、前記複数の棒状のアーム部材がそれぞれ上方に向いた位置にあるときに、前記第１の糸状部材に設けられた係合具により、前記複数の棒状のアーム部材と前記支持部材とが係合され、この係合が前記第１の糸状部材を引っ張ることで解除されることを特徴としている（請求項２）。
【００１５】
これにより、引きロープ取付用器具を持ち上げるときには、複数のアーム部材が集約された状態を係合具により支持部材に係合することで保持することができ、所望の目的の高さになったときには、第１の糸状部材を引っ張る操作のみで、係合具による支持部材への係合を解除することができる。係合の解除後は、支持部材と連結された支持用糸状部材によりアーム部材の先端が台座の側方よりも下方になることが規制されているので、複数の棒状のアーム部材は側方に向けて略水平状に延びたかたちで放射状に展開した状態になる。
【００１６】
本発明に係る引きロープ取付用器具の前記複数の棒状のアーム部材は、台座側アーム構成部材と先端側アーム構成部材とを有し、前記台座側アーム構成部材と先端側アーム構成部材とは、前記先端側アーム構成部材の先端が相互に近接する方向に曲がることができるように、連結機構を介して連結され、更に、先端側アーム構成部材を前記曲がる方向とは反対方向に付勢する付勢機構が前記アーム構成部材間に架設されていることを特徴としている（請求項３）。
【００１７】
これにより、各糸状部材が引っ張られることで、一のアーム部材の先端側アーム構成部材や、他のアーム部材の先端側アーム構成部材が曲がり、一のアーム部材の先端と他のアーム部材の先端とを相互に近接させることが可能になる。一方で、各糸状部材の引っ張りが解除されることで、付勢機構の付勢力により、一のアーム部材の先端側アーム構成部材や、他のアーム部材の先端側アーム構成部材は開いた状態に戻っていく。
【００１８】
本発明に係る引きロープ取付用器具では、前記第１の糸状部材と前記第２の糸状部材とは、前記台座に設けられた筒状部材の通孔を通って下方に引き出され、  前記第２の糸状部材は、前記筒状部材の通孔から引き出された後に、前記筒状部材の通孔よりも大きなストッパーに装着され、前記第１の糸状部材は、前記ストッパーに設けられた通孔を通っていると共に、所定の位置に前記ストッパーの通孔よりも大きな押し部材が設けられて、前記押し部材が前記ストッパーの通孔の周縁に当接した後は、前記第１の糸状部材の引っ張りにより前記第２の糸状部材も引っ張られることを特徴としている（請求項４）。
【００１９】
これにより、第１の糸状部材を引っ張る動作のみで、一のアーム部材と他のアーム部材との双方を先端が相互に近接する方向に変形させることが可能となり、引きロープ取付用器具の操作を簡易なものとすることが可能である。
【発明の効果】
【００２０】
以上述べたように、本発明に係る引きロープ取付用器具によれば、操作棒の先端に装着して引きロープ取付用器具を持ち上げるときには、複数の棒状のアーム部材が上方を向いた状態として集約することができ、また、第１の糸状部材が樹木に引き掛かった状態で引きロープ取付用器具を下すときには、第１の糸状部材及が引っ張られ、これにより第２の糸状部材も引っ張られるようにすることで、複数の棒状のアーム部材が上方に向いた状態として集約することができる。これにより、引きロープ取付用器具を持ち上げたり、下したりするときに、アーム部材が樹木の枝等に不用意に引き掛かるのを防止することが可能となる。
【００２１】
また、引きロープ取付用器具を持ち上げるときに、当該引きロープ取付用器具には引きロープが装着されておらず、引きロープよりも軽量の糸状部材が装着されているので、引きロープ取付用器具としの軽量化を図ることが可能である。また、複数のアーム部材は上方を向いた状態することで集約され、展開するときには台座の側方を向いた位置に放射状に展開する。このため、引きロープ取付用器具の重心を、操作棒や支持部材の軸心を中心点として取ることが可能となる。これらのことから、操作棒の軸方向寸法が長くても、引きロープ取付用器具を先端に装着した操作棒が曲がるのを防止することができる。
【図面の簡単な説明】
【００２２】
【図１】引きロープ取付用器具の全体を糸状部材が配置された側から示す説明図である。
【図２】引きロープ取付用器具の全体を糸状部材が配置された側とは反対側から示す説明図である。
【図３】引きロープ取付用器具の上方部分の構成を側方から見た状態を示す説明図である。
【図４】（ａ）は引きロープ取付用器具の中程部分の構成を側方から見た状態を示す説明図であり、（ｂ）と（ｃ）とはアーム部材が曲がることが可能であることを示す説明図である。
【図５】（ａ）は引きロープ取付用器具の下方部分の構成を側方から見た状態を示す説明図であり、（ｂ）は図５（ａ）のＩ−Ｉ線断面図である。
【図６】（ａ）はアーム部材及び支持部材を集約して係合具で固定した状態の引きロープ取付用器具の全体を示す説明図であり、（ｂ）は係合具を中心にその拡大図であり且つ側方から見た状態を示す説明図である。
【図７】アーム部材が横方向に且つ放射状に広がった状態の引きロープ取付用器具の全体を示す説明図である。
【図８】アーム部材の先端部分が相互に近接する方向に曲がった状態の引きロープ取付用器具の全体を示す説明図である。
【図９】伐採対象の樹木に第２の糸状部材を引き掛けたまま引きロープ取付用器具を引いた状態を示す説明図である。
【発明を実施するための形態】
【００２３】
以下、本発明の実施形態を図面に基づき説明する。
【００２４】
図１から図９において、本発明に係る引きロープ取付用器具１の一例が示されている。この引きロープ取付用器具１は、例えば伐採対象の樹木を切り倒す際に、伐採対象の樹木の幹に引きロープを取り付けて、樹木を引きロープで引っ張って樹木が倒れる方向の調整を補助するためのものであり、図示しない操作棒の先端に装着されて用いられる。
【００２５】
引きロープ取付用器具１は、この実施例では、台座２と、この台座２に回転可能に取り付けられた２つのアーム部材１０、２０と、台座２の上面に設けられた１つの支持部材８０と、台座２の下面に設けられた操作棒連結部９０とを有している。操作棒連結部９０は図示しない操作棒と連結するためのものである。
【００２６】
台座２は、下記する連結機構３、３、筒状部８や操作棒連結部９０を取り付け、並びに強度を確保するための厚みを有するプレート状のもので、この実施形態では、アーム部材１０とアーム部材２０との間の内角が所望の角度（例えば約４５度）となるように、上面又は下面から見た形状が三角形状になっている。そして、台座２の上面及び底面は、支持部材８０、操作棒連結部９０を台座２の中心等の所望の位置に設けるために十分な面積を有している。なお、台座２は、例えば３つのアーム部材が取り付けられる場合には、上面又は下面から見た形状が台形状等としても良い。
【００２７】
アーム部材１０は、この実施形態では、直線の棒状の連結機構取付部１０１と、直線の棒状のアーム本体１０２とより成るＬ字形状のもので、連結機構取付部１０１が台座２の側面に設けられたヒンジ等の連結機構３に取り付けられることにより、連結機構３を回転中心として回転自在となっている。もっとも、図示しないが、アーム部材１０の全体形状を直線の棒状として、その端部が連結機構３に回転自在に取り付けられるようにしても良い。
【００２８】
アーム本体１０２は、この実施形態では、台座側アーム構成部材１０２ａと、先端側アーム構成部材１０２ｂと、これらのアーム構成部材１０２ａ、１０２ｂを連結するヒンジ等の連結機構４とを有して構成されている。先端側アーム構成部材１０２ｂの先端には、接着部材５が固定されており、接着部材５は、この実施形態では、複数の板状の磁石を先端側アーム構成部材１０２ｂの軸方向に積層して構成されている。
【００２９】
連結機構４は、アーム部材１０、２０が側方に延出しつつ、両部材１０、２０間の内角が所定の角度（例えば約４５度）となるように放射状に展開したときに、先端側アーム構成部材１０２ｂがアーム部材２０側に向けて曲がるように、アーム構成部材１０２ａ、１０２ｂと連結している。
【００３０】
そして、付勢機構７が、台座側アーム構成部材１０２ａと先端側アーム構成部材１０２ｂとの間に架設されている。この実施形態では、付勢機構７は引っ張りコイルバネであり、一端が台座側アーム構成部材１０２ａのうち先端側アーム構成部材１０２ｂ側端に近接した位置に固定されており、他端が先端側アーム構成部材１０２ｂのうち台座側アーム構成部材１０２ａ側端から所定の間隔ほど開いた（少なくとも台座側アーム構成部材１０２ａにおける固定位置よりも遠い）位置に固定されている。付勢機構７のアーム構成部材１０２ａ、１０２ｂへの固定位置は、連結機構４の軸方向と交差し、且つ、先端側アーム構成部材１０２ｂが折れ曲がる際に内側となる側となっている。そして、付勢機構７は、この実施形態では、先端側アーム構成部材１０２ｂが台座側アーム構成部材１０２ａの軸線上にある場合（初期状態）でも、アーム構成部材１０２ａ、１０２ｂの軸線よりも側方に膨らむかたちで緩やかに弧状に曲がっている。このため、アーム部材１０は、付勢機構７の付勢力で先端側アーム構成部材１０１ａが台座側アーム構成部材１０１ａに対し曲がった状態にあれば元の状態（開いた状態）に戻ろうとする復元力が働いている。
【００３１】
更に、アーム部材１０は、先端側アーム構成部材１０２ｂを更に曲げるための曲げ手段を備えている。曲げ手段は、樹木を直接に引っ張る引きロープよりも軽量の糸状部材３０と、この糸状部材３０をアーム本体１０２の長手方向に沿って当該アーム本体１０２に引き掛けつつ沿わすための複数（この実施形態では４つ）のガイド部３１とを有する。
【００３２】
ガイド部３１は、アーム本体１０２に固定されており、糸状部材３０が通るリングを主な構成部分とし、各ガイド部３１は、アーム本体１０２を連結機構４にて曲げたときに、アーム部材２０と対峙する内側となる部位に配置されている。そして、ガイド部３１のうち少なくとも１つは、先端側アーム構成部材１０２ｂに配置されて、この最も先端側となるガイド部３１に糸状部材３０の一方端が固定されている。糸状部材３０は、他の全てのガイド部３１のリング内を通った後、台座２の連結機構３、３間から上下に開口した筒状部８を挿通し、筒状部８よりも下方に位置する横倒しの筒状のストッパー３２に他方端が固定されている。
【００３３】
このような曲げ手段の仕組みとすることにより、ストッパー３２が引っ張られると、ストッパー３２に固定された糸状部材３０も引っ張られ、先端側アーム構成部材１０２ｂは、付勢機構７の付勢力に抗するかたちでアーム部材２００側に向けて曲がる。なお、糸状部材３０の引っ張りが解除されると、付勢機構７の付勢力により、先端側アーム構成部材１０２ｂは、元の状態（開いた状態）となる。
【００３４】
アーム部材２０は、この実施形態では、連結機構取付部２０１とアーム本体２０２とで基本的に成るもので、アーム本体２０２は台座側アーム構成部材２０２ａ、先端側アーム構成部材２０２ｂ、ヒンジ等の連結機構４により構成されている。アーム部材２０は、アーム部材１０と対をなすので、アーム部材２０のこれらの連結機構取付部２０１、アーム本体２０２、連結機構４の構造や機能は、アーム部材１０の連結機構取付部１０１、アーム本体１０２、連結機構４の構造や機能において同様の点がある。このため、アーム部材２０のアーム部材１０と同様の構造や機能については、原則としてその説明を省略し、異なる構造や機能について以下に説明する。
【００３５】
アーム本体２０２のうち少なくとも先端側アーム構成部材２０２ｂは、当該先端側アーム構成部材２０２ｂの軸方向に沿って延び、先端側が開放された空洞２１を内部に有している。接着部材６は、柱状の基部６１の両側に複数の板状の磁石を基部６１の軸方向に積層させた磁石積層体６２、６３とで構成されている。そして、磁石積層体６２と磁石積層体とで積層させる磁石の数を異ならせて、バランスを悪くしている。いずれの磁石積層体６２、６３の積層方向外側の磁石も、接着部材５の積層方向外側の磁石と接着可能なように磁極が調整されている。この実施形態では、磁石積層体６２の積層された磁石の数を６つ、磁石積層体６３の積層された磁石の数を２つとしている。このような構成とすることにより、接着部材５の磁石積層方向の先端に接着部材６の磁石積層体６３の磁石積層方向の先端を接着しやすくすることが可能となる。接着部材６は先端側アーム構成部材２０２ｂに固定されておらず、下記する糸状部材４０に装着されている。
【００３６】
アーム部材２０は、先端側アーム構成部材２０２ｂを曲げるための曲げ手段として、引きロープよりも軽量の糸状部材４０と、複数（この実施形態では４つ）のガイド部４１とを有し、先端側アーム構成部材２０２ｂの上側部分及び接着部材６も曲げ手段の一部を構成する。なお、アーム部材１０とアーム部材２０とを上方に向けて立った状態としたときにガイド部３１とガイド部４１とが干渉し合わないように、ガイド部４１は前記立った状態となったときに、ガイド部３１に対しアーム部材１０、２０の軸方向の下方にずれるように配置されていても良い。この実施例では、先端側アーム構成部材１０２ｂのガイド部３１と先端側アーム構成部材２０２ｂのガイド部４１とについて、ガイド部４１の方が先端側となるようにすれて配置されている。
【００３７】
このような構成において、先端側に接着部材６が装着された糸状部材４０は、先端側アーム構成部材２０２ｂの先端の開口から当該先端側アーム構成部材２０２ｂの空洞４２内に入り、その軸方向に沿って空洞４２内を進んだ後、先端側アーム構成部材２０２ｂのガイド部４１と同じ側に開口した空洞４２の孔から外部に出る。そして、外部に出た糸状部材４０は、全てのガイド部４１のリング内を通った後、台座２の連結機構３、３間から上下に開口した筒状部８を挿通し、筒状部８よりも下方に位置する横倒しの筒状のストッパー３２の側面に形成された一対の通孔３２ａ、３２ｂをも貫通して、最終的には糸状部材４０の引き出し・巻き取り部材４４に達する。
【００３８】
糸状部材４０の所定位置には押し部材４３が設けられている。押し部材４３は、例えばストッパー３２の通孔３２ａ、３２ｂの内径よりも大きく筒状部８やガイド部４１の内径よりも小さな外径の球体となっている。
【００３９】
このような曲げ手段の仕組みとすることで、糸状部材４０を引っ張ると接着部材６が先端側アーム構成部材２０２ｂの先端に当たり、先端側アーム構成部材２０２ｂひいてはアーム本体２０２を押すと共に糸状部材４０自体の引っ張りにより、先端側アーム構成部材２０２ｂは、付勢機構７の付勢力に抗するかたちで、アーム部材１０側に曲がる。
【００４０】
そして、糸状部材４０を引っ張り続けると、糸状部材４０の押し部材４３がストッパー３２の通孔３２ａの開口端に当たり、ストッパー３２ひいては糸状部材３０も引っ張ることとなる。すなわち、糸状部材４０を引っ張る操作で、アーム部材１０、２０の双方を曲げることが可能になっている。
【００４１】
更に、アーム部材１０、２０のアーム本体１０２、２０２が台座の側方に略水平に広がった状態を支持するための手段として、台座２に設けられた支持部材８０と、アーム部材１０、２０の台座側アーム構成部材１０２ａ、２０２ａとを接続する支持用糸状部材８１、８２とを備えている。
【００４２】
支持部材８０は、台座２から上方に向けて立設した直線状の棒状のもので、下記する係合具９６の差し込み部９６ｂの長さよりも深い穴８０ａが先端側から開口している。支持部材８０の軸方向の寸法は、その先端の位置が上方に向いたアーム本体１０２、２０２の連結機構４よりも上方に位置で、先端側アーム構成部材１０２ｂ、２０２ｂに設けられたガイド部３１、４１よりも少し下方に位置するものとなっている。支持用糸状部材８１、８２の一端は、アーム本体１０２、２０２が台座２の側方に延びる状態となったときに、台座側アーム構成部材１０２ａ、２０２ａの上方を向く部位に接続されている。更に、支持用糸状部材８１、８２の他端は、アーム本体１０２、２０２が台座２の側方に延びる状態となったときに、支持用糸状部材８１、８２が張った状態となるように、支持部材８０の所定位置に接続されている。これにより、アーム本体１０２、２０２が連結機構３により上方を向いた位置から下方に向けて回転したときに、アーム本体１０２、２０２は側方に延びる位置（略水平に延びる位置）までの回転に規制され、側方に延びた状態が保持される。
【００４３】
更にまた、接着部材６には、所定の長さの糸状部材９５が取り付けられ、更に糸状部材９５の先端に係合具９６が取り付けられている。この係合具９６は、２つの長さの違う差し込み部９６ａ、９６ｂを有する。この実施形態では、係合具９６は、差し込み部９６ａが差し込み部９６ｂよりも所定の寸法ほど長くなっている。これにより、アーム本体１０２、２０２を上方に向けた状態にして支持部材８０に近接させて、これらの支持部材８０、ア−ム本体１０２、２０２を集約し（必要によって、図６（ａ）のようにアーム本体１０２、２０２を捻る等して、アーム本体１０２、２０２、支持部材８０を捻って絡ませ）、先端側アーム構成部材１０２ｂ、２０２ｂのガイド部３１、４１をほぼ上下に並ぶように配置した後、支持部材８０の穴８０ａに係合具９６の差し込み部９６ａを差し込み、ガイド部３１、４１に係合具９６の差し込み部９６ｂを差し込んで、支持部材８０、アーム本体１０２、２０２が集約された状態を一時的に維持することができる。その一方で、糸状部材４０を引っ張って係合具９６を支持部材８０の穴８０ａや、先端側アーム構成部材１０２ｂ、２０２ｂのガイド部３１、４１から抜くことで、支持部材８０、アーム本体１０２、２０２が集約された状態を解除することが可能にもなっている。
【００４４】
このような構成の引きロープ取付用器具１とすることで、以下の手順により引きロープを伐採対象の樹木の幹に引き掛けることが可能となる。
【００４５】
まず、図示しない操作棒に操作棒連結部９０を連結すると共にアーム本体１０２、２０２を上方に向けた状態として支持部材８０に近接させて、これらの支持部材８０、アーム本体１０２、２０２を集約し、係合具９６でこの支持部材８０、アーム本体１０２、２０２が集約された状態を一時的に係合した後、作業員が操作棒を持って引きロープ取付用器具１を上方に持ち上げる。
【００４６】
次に、糸状部材３０を引っ張り、係合具９６を支持部材８０、アーム本体１０２、２０２から抜き取って、アーム部材１０、２０のアーム本体１０２、２０２を、台座２の側方に向かって延びた状態とし、且つ、両アーム本体１０２、２０２間の内角が所定角度（例えば４５度）に広がるように、展開させる。
【００４７】
更に、アーム本体１０２、２０２間に伐採対象の樹木の幹が収まるようにした後、糸状部材３０を引っ張ることで、先端アーム構成部材１０２ｂ、２０２ｂの先端が連結機構４により相互に近接する方向に折れ曲がってゆき、接着部材６が接着部材５に接続する。このとき、糸状部材３０の引っ張りを解除することで、先端アーム構成部材１０２ｂ、２０２ｂが元の開いた状態に戻るので、接着部材６が接着部材５に接続するまで何度でも試みることができる。
【００４８】
そして、操作棒を持って、引きロープ取付用器具１を、接着部材６が接着部材５に接続された状態を維持しつつ下すと、糸状部材３０が伐採対象の樹木の周囲の一部を囲ったＵ字状に引き掛かった状態を維持しつつ延びて、引きロープ取付用器具１が作業員のいる場所まで下す。そこで、接着部材５と接着部材６との接続を解除し、接着部材６に引きロープを接続して、接着部材６が持ち上がるように糸状部材３０を引っ張ることで、引きロープを持ち上げてゆき、引きロープが伐採対象の樹木の周囲に略Ｕ字状に引き掛かった状態とすることができる。
【００４９】
なお、引きロープ取付用器具１を伐採対象の樹木の上方から下したときに、糸状部材４０の操作でアーム部材１０の先端とアーム部材２０の先端とを近接させても、接着部材６が接着部材５に上手く接続されていなかったときには、上記した引きロープ取付用器具１を持ち上げる手順から度繰り返すかたちで何度も試みることが可能である。
【００５０】
ここで、引きロープ取付用器具１のアーム部材１０、２０のアーム本体１０２、２０２に構成について、双方の先端が近接するようにするために、台座側アーム構成部材１０２ａ，２０２ａと先端側アーム構成部材１０２ｂ、２０２ｂと、連結機構４とで構成されたものとしたが、必ずしもこれに限定されない。アーム本体１０２、２０２を略Ｌ字状に曲がることが可能な可撓性の優れた素材で成る１の部材としても良い。
【００５１】
また、引きロープ取付用器具１のアーム部材１０、２０のアーム本体１０２、２０２及び支持部材８０を集約し、その集約した状態を維持するために、糸状部材３０で操作することが可能な係合具９６を用いるとしたが、必ずしもこれに限定されない。引きロープ取付用器具１のアーム部材１０、２０のアーム本体１０２、２０２及び支持部材８０を磁石や輪ゴム、その他の環状の弾性部材等で仮に固定するようにし、この仮固定状態が糸状部材４０の引っ張りで解除される構成であれば良い。
【符号の説明】
【００５２】
１  引きロープ取付用器具
２  台座
３  連結機構
４  連結機構
５  接着部材
６  接着部材
７  付勢機構
１０  アーム部材（他のアーム部材）
１０２ａ  台座側アーム構成部材
１０２ｂ  先端側アーム構成部材
２０  アーム部材（一のアーム部材）
２０２ａ  台座側アーム構成部材
２０２ｂ  先端側アーム構成部材
３０  糸状部材
３２  ストッパー
３２ａ、３２ｂ  通孔
４０  糸状部材
４２  孔
４３  押し部材
８０  支持部材
８１  支持用糸状部材
８２  支持用糸状部材
９６  係合具
【図１】
2019050742.tif 000003
【図２】
2019050742.tif 000004
【図３】
2019050742.tif 000005
【図４】
2019050742.tif 000006
【図５】
2019050742.tif 000007
【図６】
2019050742.tif 000008
【図７】
2019050742.tif 000009
【図８】
2019050742.tif 000010
【図９】
2019050742.tif 000011